(57)【要約】【課題】シール材を、ロッドヘッドの内周壁に設けられた環状溝に圧入装着する場合に、適切な位置に容易に圧入装着することが可能な構成を備える、シール材圧入装着用治具を提供することにある。【解決手段】シール材圧入装着用治具１は、軸方向の一方側からシール材２０の剛性部２１に当接する盤状部１１と、盤状部１１から円環状のシール材２０の内側を通過するように延び、内周壁４２の内径と略同一の外径を有する筒状部１２と含み、シール材圧入装着用治具１を用いて環状溝４２ｇにシール材２０を圧入装着する際には、盤状部１１がシール材２０の剛性部２１に当接し、筒状部１２が、弾性部材２２の内側を通過している状態で、シール材圧入装着用治具１が押込められる状態となる。【選択図】図３
2018040431.tif 000002
【特許請求の範囲】
【請求項１】
内部に軸方向に延びる筒状の内周壁を有するロッドヘッドに、円環状のシール材を圧入装着する際に用いられる樹脂製のシール材圧入装着用治具であって、
前記内周壁に設けられた半径方向の外側に凹む環状溝に、前記シール材が圧入装着され、
前記環状溝は、前記軸方向の一方側が外部に開放しており、
前記シール材は、半径方向の外側に環状の剛性部と、前記剛性部の内側に環状の弾性部材と、を含み、
前記シール材圧入装着用治具は、
前記軸方向の前記一方側から前記シール材の前記剛性部に当接する盤状部と、
前記盤状部から円環状の前記シール材の内側を通過するように延び、前記内周壁の内径と略同一の外径を有する筒状部と、含み、
前記シール材圧入装着用治具を用いて前記環状溝に前記シール材を圧入装着する際には、
前記盤状部が前記シール材の前記剛性部に当接し、前記筒状部が、前記弾性部材の内側を通過している状態で、前記シール材圧入装着用治具が押込められる状態となる、シール材圧入装着用治具。
【請求項２】
前記筒状部は、前記盤状部とは反対の端部から前記盤状部に向って延びる空洞部を有する、請求項１に記載のシール材圧入装着用治具。
【請求項３】
前記シール材の前記弾性部材は、前記軸方向において、前記剛性部からはみ出す延在領域を有し、
前記盤状部の前記筒状部が設けられる側には、前記軸方向に沿って凹み、前記盤状部が前記剛性部に当接する際に前記延在領域を受け入れる逃げ凹部が設けられている、請求項１または請求項２に記載のシール材圧入装着用治具。
【請求項４】
前記盤状部の前記筒状部が設けられる側とは反対側の面には、スライドハンマーを取り付けるための取付部が設けられている、請求項１から請求項３のいずれか１項に記載のシール材圧入装着用治具。
【発明の詳細な説明】
【技術分野】
【０００１】
この発明は、シール材圧入装着用治具の構造に関する。
【背景技術】
【０００２】
ロッドが摺動する筒状の内周壁を有するロッドヘッドにおいては、内周壁に設けられた半径方向の外側に凹む環状溝に、ダストシール材その他のシール材が圧入装着されており、内周壁とロッドとの摺動面において、外部と内部と環境を隔離して、外部からダスト等の外部への混入、または、内部から外部への摺動油等の漏出を防止している。このようなダストシール材は、たとえば、特開２０１６−０４５０６８号公報（特許文献１）および特開２００９−２５７３７６号公報（特許文献１）に開示されている。
【先行技術文献】
【特許文献】
【０００３】
【特許文献１】特開２０１６−０４５０６８号公報
【特許文献２】特開２００９−２５７３７６号公報
【発明の概要】
【発明が解決しようとする課題】
【０００４】
このようなダストシール材を、ロッドヘッドの内周壁に設けられた環状溝に圧入装着する場合には、通常環状溝は、ロッドヘッドの軸方向の一方側が外部に開放しており、この開放側から、ハンマー等を用いて叩きながら徐々に圧入されていた。
【０００５】
しかし、ダストシール材が適切な姿勢を維持したまま（軸方向に対し直交する平面に平行）、環状溝に圧入装着するのは比較的熟練を要する作業である。また、ダストシール材の姿勢を維持し均等に圧入力を加えるために金属製の円盤状部材をダストシール材に当接させ、この円盤状部材をハンマー等を用いて叩くことも行なわれていた。しかし、金属製の円盤状部材は重量が重くなり、取扱いに注意を要する必要があった。この金属製の円盤状部材を用いた場合であって、ダストシール材に適切な姿勢を維持させることを保障できるものでもなかった。
【０００６】
この発明の目的は、上記の課題を解決することにあり、シール材を、ロッドヘッドの内周壁に設けられた環状溝に圧入装着する場合に、適切な位置に容易に圧入装着することが可能な構成を備える、シール材圧入装着用治具を提供することにある。
【課題を解決するための手段】
【０００７】
このシール材圧入装着用治具は、内部に軸方向に延びる筒状の内周壁を有するロッドヘッドに、円環状のシール材を圧入装着する際に用いられる樹脂製のシール材圧入装着用治具であって、上記内周壁に設けられた半径方向の外側に凹む環状溝に、上記シール材が圧入装着され、上記環状溝は、上記軸方向の一方側が外部に開放しており、上記シール材は、半径方向の外側に環状の剛性部と、上記剛性部の内側に環状の弾性部材と、を含む。
【０００８】
上記シール材圧入装着用治具は、上記軸方向の上記一方側から上記シール材の上記剛性部に当接する盤状部と、上記盤状部から円環状の上記シール材の内側を通過するように延び、上記内周壁の内径と略同一の外径を有する筒状部と、を含む。
【０００９】
上記シール材圧入装着用治具を用いて上記環状溝に上記シール材を圧入装着する際には、上記盤状部が上記シール材の上記剛性部に当接し、上記筒状部が、上記弾性部材の内側を通過している状態で、上記シール材圧入装着用治具が押込められる状態となる。
【００１０】
他の形態では、上記筒状部は、上記盤状部とは反対の端部から上記盤状部に向って延びる空洞部を有する。
【００１１】
他の形態では、上記シール材の上記弾性部材は、上記軸方向において、上記剛性部からはみ出す延在領域を有し、上記盤状部の上記筒状部が設けられる側には、上記軸方向に沿って凹み、上記盤状部が上記剛性部に当接する際に上記延在領域を受け入れる逃げ凹部が設けられている。
【００１２】
他の形態では、上記盤状部の上記筒状部が設けられる側とは反対側の面には、スライドハンマーを取り付けるための取付部が設けられている。
【発明の効果】
【００１３】
このシール材圧入装着用治具によれば、シール材を、ロッドヘッドの内周壁に設けられた環状溝に圧入装着する場合に、適切な位置に容易に圧入装着することが可能な構成を備える、シール材圧入装着用治具の提供を可能とする。
【図面の簡単な説明】
【００１４】
【図１】実施の形態１におけるシール材圧入装着用治具の外観構成を示す図である。
【図２】実施の形態１におけるシール材圧入装着用治具を用いたシール材を圧入する前の断面模式図である。
【図３】実施の形態１におけるシール材圧入装着用治具を用いたシール材の圧入状態を示す断面模式図である。
【図４】実施の形態１におけるシール材圧入装着用治具を用いたシール材を圧入する前の拡大斜視断面図である。
【図５】実施の形態１におけるシール材圧入装着用治具を用いたシール材の圧入状態を示す拡大斜視断面図である。
【図６】実施の形態２におけるシール材圧入装着用治具の外観構成を示す図である。
【図７】実施の形態２におけるシール材圧入装着用治具を用いたシール材の圧入状態を示す全体斜視図である。
【発明を実施するための形態】
【００１５】
本発明に基づいた各実施の形態におけるシール材圧入装着用治具について、以下、図を参照しながら説明する。なお、以下に説明する各実施の形態において、個数、量などに言及する場合、特に記載がある場合を除き、本発明の範囲は必ずしもその個数、量などに限定されない。また、同一の部品、相当部品に対しては、同一の参照番号を付し、重複する説明は繰り返さない場合がある。
【００１６】
（実施の形態１：シール材圧入装着用治具１）
図１および図２を参照して、本実施の形態におけるシール材圧入装着用治具１の構造について説明する。図１は、シール材圧入装着用治具１の外観構成を示す図、図２は、シール材圧入装着用治具１を用いたシール材２０を圧入する前の断面模式図である。
【００１７】
図１に示すように、本実施の形態におけるシール材圧入装着用治具１は盤状部１１と、この盤状部１１の中心を通過する軸ＡＬが延びる方向に沿って、図中の下方側に延びる筒状部１２を含む。シール材圧入装着用治具１は樹脂成型品である。より詳細な構成を図２を用いて、以下説明する。
【００１８】
このシール材圧入装着用治具１は、内部に軸ＡＬ方向に延びる筒状の内周壁４２を有するロッドヘッド４０に、円環状のシール材２０を圧入装着する際に用いられる。内周壁４２には、半径方向の外側に凹む環状溝４２ｇが設けられている。環状溝４２ｇは、軸ＡＬ方向の一方側（図示における上側）が外部に開放している。この環状溝４２ｇにシール材２０が圧入装着される。
【００１９】
シール材２０は、半径方向の外側に環状の剛性部２１と、剛性部２１の内側に環状の弾性部材２２とを含む。剛性部２１はアルミ、鋼等の金属材料が用いられ、弾性部材２２には、天然ゴム、合成ゴム、樹脂ゴム等が用いられる。
【００２０】
シール材２０の弾性部材２２には、軸ＡＬ方向において、剛性部２１からはみ出す延在領域としてリップ部２２ｂが設けられている。
【００２１】
シール材圧入装着用治具１は、軸方向の一方側からシール材２０の剛性部２１に当接する盤状部１１と、盤状部１１から円環状のシール材２０の内側を通過するように延び、内周壁４２の内径と略同一の外径を有する筒状部１２と、含む。
【００２２】
筒状部１２は、盤状部１１とは反対の端部から盤状部１１に向って延びる空洞部１５を有する。空洞部１５は、一端側が開放した円筒形状を有する。
【００２３】
盤状部１１の筒状部１２が設けられる側には、軸方向に沿って凹み、盤状部１１が剛性部２１に当接する際にリップ部２２ｂを受け入れる逃げ凹部１４が設けられている。本実施の形態では、逃げ凹部１４は、筒状部１２の根本領域を取り囲むように設けられている。
【００２４】
（シール材２０の環状溝４２ｇへの圧入装着）
図３から図５を参照して、ハンマー１００を用いて、シール材圧入装着用治具１を叩くことで、シール材２０を環状溝４２ｇに圧入装着する場合について説明する、図３は、シール材圧入装着用治具１を用いたシール材２０の圧入状態を示す断面模式図、図４は、シール材圧入装着用治具１を用いたシール材２０を圧入する前の拡大斜視断面図、図５は、シール材圧入装着用治具１を用いたシール材２０の圧入状態を示す拡大斜視断面図である。
【００２５】
シール材圧入装着用治具１を用いて環状溝４２ｇにシール材２０を圧入装着する際には、ハンマー１００を用いて、シール材圧入装着用治具１の盤状部１１を叩く。この際、図４に示すように、筒状部１２の外面が内周壁４２沿って移動することから、シール材圧入装着用治具１は、軸ＡＬに沿って真っ直ぐに叩き入れられることとなる。その結果、シール材２０も環状溝４２ｇに対して、真っ直ぐに圧入挿入されることとなる。
【００２６】
図４および図５に示すように、本実施の形態のシール材２０はリップ部２２ｂを有しているが、盤状部１１の内面１３には、リップ部２２ｂを受け入れる逃げ凹部１４が設けられていることから、リップ部２２ｂがシール材圧入装着用治具１によって押し潰されることもない。
【００２７】
このように本実施の形態におけるシール材圧入装着用治具を用いたシール材２０の環状溝４２ｇへの圧入装着においては、シール材２０を、ロッドヘッド４０の内周壁４２に設けられた環状溝４２ｇに圧入装着する場合に、適切な位置に容易に圧入装着することが可能な構成を備えている。
【００２８】
シール材２０の内周壁４２への圧入装着後には、空洞部１５から盤状部１１の裏面側を棒状部材等を用いて叩くことで、シール材圧入装着用治具１をロッドヘッド４０から取り外すことができる。シール材圧入装着用治具１の筒状部１２に空洞部１５を設けておくことで、盤状部１１の裏面側を叩く位置が一定となり、容易にシール材圧入装着用治具１をロッドヘッド４０から取り外すことができる。
【００２９】
（実施の形態２：シール材圧入装着用治具１Ａ）
図６および図７を参照して、本実施の形態におけるシール材圧入装着用治具１Ａの構造について説明する。図６は、シール材圧入装着用治具１Ａの外観構成を示す図、図７は、シール材圧入装着用治具を用いたシール材の圧入状態を示す全体斜視図である。
【００３０】
本実施の形態におけるシール材圧入装着用治具１Ａは、基本的構成は、上記実施の形態１におけるシール材圧入装着用治具１と同じである。図６に示すように、相違点は、盤状部１１の中心位置に、スライドハンマーを取り付けるための取付部としての雌ネジ１ｈが設けられている点にある。これにより、図７に示すように、スライドハンマー２００の軸部２０１を盤状部１１の雌ネジ１ｈに螺合させることが可能となる。
【００３１】
このように、盤状部１１にスライドハンマー２００を連結させることで、盤状部１１の中心に位置する軸部２０１に沿ってハンマー部２０２を移動させて、盤状部１１を叩くことができる。スライドハンマー２００を用いることで、盤状部１１の中心位置を常に叩くことができるため、効率よくシール材圧入装着用治具１Ａを進行させてシール材２０の圧入装着が可能となる。その他の作用効果、上記実施の形態１におけるシール材圧入装着用治具１と同じである。
【００３２】
上記各実施の形態においては、シール材２０にリップ部２２ｂが設けられていることから、盤状部１１に逃げ凹部１４を設けた構成を採用しているが、シール材２０にリップ部２２ｂが設けられていない場合には、盤状部１１に逃げ凹部１４を設ける必要はない。
【００３３】
上記各実施の形態においては、筒状部１２に空洞部１５を設けた場合について説明しているが、必ずしも設ける必要があるものではない。
【００３４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３５】
１，１Ａ  シール材圧入装着用治具、１ｈ  雌ネジ、１１  盤状部、１２  筒状部、１３  内面、１４  逃げ凹部、１５  空洞部、２０  シール材、２１  剛性部、２２  弾性部材、２２ｂ  リップ部、４０  ロッドヘッド、４２  内周壁、４２ｇ  環状溝、１００  ハンマー、２００  スライドハンマー、２０１  軸部、２０２  ハンマー部、ＡＬ  軸。
【図１】
2018040431.tif 000003
【図２】
2018040431.tif 000004
【図３】
2018040431.tif 000005
【図４】
2018040431.tif 000006
【図５】
2018040431.tif 000007
【図６】
2018040431.tif 000008
【図７】
2018040431.tif 000009